(57)【要約】      （修正有）【課題】厚みが充分にあり、草類だけでなく、低木の植栽も可能な型枠ブロックの壁面緑化装置を提供する。【解決手段】法面等の傾斜壁面１２に排水マット８を敷設し、その上面に、ハニカム状の高密度ポリエチレン製型枠ブロック１を設置し、アンカーピン１１で固定する。型枠ブロック１の空間部に、繊維製の植木鉢６に人工土嚢１０で植付けした植物７を植栽する。【選択図】図２
0003168644.tif 000002
【実用新案登録請求の範囲】
【請求項１】
ハニカム状に展開された複数の型枠ブロック（１）は、高密度ポリエチレンの合成樹脂を以って各々長手方向に凸部（２）と凹部（３）より空間部（４）を形成し、該型枠ブロック（１）は、法面等の傾斜壁面（１２）の正面に排水マット（８）を敷設し、該空間部（４）には、水苔（９）及び人工土壌（１０）を充填し、且つ該空間部（４）には、植物（７）を人工土壌（１０）で植付けした繊維製の植木鉢（６）を嵌装植栽したことを特徴とする型枠ブロックの壁面緑化装置。
【請求項２】
請求項１における型枠ブロック（１）を各種の垂直壁面（１３）にアンカーピン（１１）を以って壁面に取付けることを特徴とする請求項１の型枠ブロックの壁面緑化装置。
【考案の詳細な説明】
【技術分野】
【０００１】  本考案は、法面等の傾斜壁面及び垂直壁面の保護及び路盤の安定のために型枠ブロックを固定し、その空間内に植生用の水苔及び土壌を充填した後に、植木鉢の植物を植栽して各種の壁面を緑化する型枠ブロックの壁面緑化装置に関するものである。
【背景技術】
【０００２】  従来この種の緑化装置は、緑化されたブロックを列設したり、メッシュパネルを壁面に固定して取付け、ツタ等を這わせる事が主体であった。
【考案の概要】
【考案が解決しようとする課題】
【０００３】  従来の技術で述べている緑化のブロック及び固定したメッシュパネルに植付けした場合は、法面等の壁面に強固に取付けができず、且つ風雨の際には、流下等のため、正常の緑化の基盤を構築する事は不可能である。また、草木類だけでなく、低木の植物の植生も不可能である問題を生じている。
本考案は、従来のこれ等の問題点を鑑みてなされたものであり、その目的とする所は、法面等の傾斜壁面又は垂直壁面に対して、厚みの充分にある植生基盤を構築する事で、草類だけでなく低木の植栽も確実に可能とした型枠ブロックの壁面緑化装置を提供しようとするものである。
【課題を解決するための手段】
【０００４】  上記目的を達成するために、本考案のものは、ハニカム状に展開された複数の型枠ブロックは、その構成材料を高密度ポリエチレン製とし、柔軟性のため、壁面の凹凸面、湾曲面にも自由に固定される。該型枠ブロックは、傾斜壁面と垂直壁面との正面には、保水性の優れた排水マットを敷設し、その表面に該型枠ブロックを載置してアンカーピンを以って壁面に固定する。また、型枠ブロックの凸部と凹部との間の多数の空間部に水苔を敷き込み、且つ繊維製の植木鉢に人工土壌と水苔とで植物を植付けした植木鉢を該空間部に単数又は複数個を水笞と人工土壌を以って充填する。
【考案の効果】
【０００５】  従来のような、メッシュパネル及びユニットタイプのものを建物及び塀等の表面に金具を以って固定したツル植物及び草物だけの緑化装置でなく、本考案の型枠ブロックの壁面緑化装置によれば、各種の低植木類も傾斜面及び垂直面にも自由に植栽できる効果と、壁面と型枠ブロックとの間に排水マットを介在敷設したので、壁面と型枠ブロックとの間の植物に必要な保水性と排水性とを充分に保持でき、植物に好影響を与える従来にない優れた効果がある。
さらに、型枠ブロックの空間部に水苔と人工土壌を充填し、繊維製の植木鉢に植物を人工土壌と一部に水苔を以って植栽したので、土壌と水苔とで植物を包み込むことで、豪雨時の土壌等の流出を防止する効果がある。
また、本考案の合成樹脂である型枠ブロックによれば、コンクリートの表面にもアンカーピンにより簡単に固定でき、柔軟性があるので、凹凸面や湾曲部にも容易に敷設できる便利な効果がある。
【図面の簡単な説明】
【０００６】
【図１】  本考案の型枠ブロックのハニカム状に展開し一部に植物を嵌装した斜面図である。
【図２】  本考案を法面等の傾斜壁面に対して緑化装置を施した一部欠除した縦断側面図である。
【図３】  本考案の型枠ブロックを垂直の壁面に対して緑化装置を施した一部欠除した縦断側面図である。
【図４】  本考案の植物を植えた大小の植木鉢の複数個を空間部に嵌装した平面図である。
【図５】  同じく本考案の型枠ブロックの展開した状態をアンカーピンで固定した平面図である。
【図６】  本考案の大小の植木鉢に植物を植付けた状態の斜面図である。
【考案を実施するための形態】
【０００７】  上記のように構成されている壁面緑化装置によれば、傾斜又は垂直の法面等の壁面の表面に排水用不織布の排水マットを敷設し、その後、該排水マットの上面に型枠ブロックを敷設してアンカーピンで固定する。その後、型枠ブロックの空間部に水苔と人工土壌を充填し、且つ植物を植えた繊維製の植木鉢を空間部に植え付けて散水して完了する。その後、自動潅水する点滴ホースを設置する事である。
【実施例】
【０００８】  次に、本考案の実施例について説明すると、図１は、法面等の傾斜壁面及び垂直壁面に敷設したハニカム状に展開された型枠ブロック（１）を示し、その相対する側壁には、多数の通気する貫通孔を穿設してある。該型枠ブロック（１）は、軽量で強度のある高密度ポリエチレン製でハニカム型フレキシブル型枠であって、各種の壁面、コンクリート、間知ブロック等にも敷設固定される。また、該型枠ブロック（１）は、長手方向の帯状の凸部（２）と凹部（３）との連立で多数の空間部（４）（４）…を形成する。また、該凸部（２）と該凹部（３）との各々接合部に連結部（５）を以って結合してある。【０００９】  図２に示される実施例では、傾斜壁面（１２）に、最初に排水マット（８）を敷設し、その表面に型枠ブロック（１）を載置してアンカーピン（１１）を以って固定する。該型枠ブロック（１）の空間部（４）には、水苔（９）と軽量の人工土壌（１０）を混合したものを挿入すると共に、植物（７）を人工土壌（１０）等で植込んだ繊維製の植木鉢（６）の単数又は複数個を該空間部（４）に充填植栽し、隙間には、該人工土壌（１０）と水苔（９）とを混合充填して苗となる植木鉢（６）を植え付けて完了されるものである。【００１０】  図３に示すものは、本考案の型枠ブロック（１）を垂直壁面（１３）に固定した状態を示し、該型枠ブロック（１）は、垂直壁面（１３）に排水マット（８）を介在して固定される。該空間部（４）（４）には、植物を水苔（９）及び人工土壌（１０）等で植付けたヤシ等の繊維製よりなる図６に示す植木鉢（６）（６）を植付けた状態を示したものである。【００１１】  図４に示すものは、型枠ブロック（１）の空間部（４）（４）の内部に植木鉢（６）の大小により２鉢乃至４鉢等の複数の鉢数を植栽した状態を示したものである。【００１２】  なお、本考案は、植物（７）（７）の維持管理をするために、点滴ホース等を使用した自動潅水システム及び簡易型潅水システムを対応している。また、必要に応じて土壌内に高性能の保水剤も添加する事もある。
【符号の説明】
【００１３】１            型枠ブロック
２            凸部
３            凹部
４            空間部
５            連結部
６            植木鉢
７            植物
８            排水マット
９            水苔
１０          人工土壌
１１          アンカーピン
１２          傾斜壁面
１３          垂直壁面
【図１】
0003168644.tif 000003
【図２】
0003168644.tif 000004
【図３】
0003168644.tif 000005
【図４】
0003168644.tif 000006
【図５】
0003168644.tif 000007
【図６】
0003168644.tif 000008